(57)【要約】【課題】少ない部品点数で、ハウジングにセンサブロックを回転自在に固定する。【解決手段】窓孔１０１ａよりも大径の椀状に形成され、窓孔１０１ａから極側が突出し、極の部分が透光性となっている外回転部材１５１と、この開口を閉塞する椀状に形成された内回転部材１５２と、これらにより構成される中空の球状体内に収納され、明るさセンサが外回転部材１５１側に実装された実装基板１５３とにより、センサブロック１５を構成した。回転固定部材１６を、内回転部材１５２よりも小径でその極側が填る輪状部１６１を有する形状に形成し、カバー１１に取り付けて、輪状部１６１にてセンサブロック１５を回転自在に固定するようにした。【選択図】  図１
2004294227.tif 000002
【特許請求の範囲】
【請求項１】
窓孔を有するハウジングと、前記窓孔から一部が露出するように前記ハウジング内に収納されるセンサブロックと、前記ハウジングに取り付けられ、前記センサブロックを回転自在に固定する回転固定部材とを備え、
前記センサブロックは、前記窓孔よりも大径の椀状に形成され、その窓孔から極側が突出し、少なくともその極の部分が透光性となっている外回転部材と、この外回転部材の開口を閉塞する椀状に形成された内回転部材と、これら外回転部材および内回転部材により構成される中空の球状体内に収納されるセンサとにより構成され、
前記回転固定部材は、前記内回転部材よりも小径でその極側が填る輪状部を有する形状に形成され、前記輪状部にて前記センサブロックを回転自在に固定する
ことを特徴とするセンサ装置。
【請求項２】
前記ハウジングは、有底筒状で底に前記窓孔の有る筒部を有する形状に形成されたボディと、前記筒部の開口を閉塞する形状に形成されたカバーとにより構成され、
前記回転固定部材は、前記筒部の底にねじ止めにて、または前記カバーに係合にて取り付けられる
ことを特徴とする請求項１記載のセンサ装置。
【請求項３】
椀状に形成されて前記外回転部材の外面を覆い、極の部分が透光性となっている遮光フードを備え、前記センサは明るさセンサであることを特徴とする請求項１または２記載のセンサ装置。
【発明の詳細な説明】
【０００１】
【発明の属する技術分野】
本発明は、窓孔を有するハウジングと、その窓孔から一部が露出するようにハウジング内に収納されるセンサブロックとを備えるセンサ装置に関するものである。
【０００２】
【従来の技術】
従来、この種のセンサ装置としては、熱線センサ付自動スイッチおよび明るさセンサなどが市販されている。
【０００３】
例えば、特許文献１には、検知エリアに人が存在しない場合でも低光出力で照明負荷を点灯させることによって、常夜灯としての機能や周囲に存在するものを確認できる程度の明かりを確保する機能を持たせるように照明負荷を制御する熱線式自動スイッチが開示されている。
【０００４】
特許文献２には、光センサへ直接光が入る領域を決定しかつ領域外の光を反射して光センサへ領域以外の光が入ることを防ぐ反射板をケースに設けて成る明るさセンサが記載されている。
【０００５】
【特許文献１】
特開平１０−２０９８４２号公報
【特許文献２】
特開２００１−３０４９６０号公報
【０００６】
【発明が解決しようとする課題】
しかしながら、従来のセンサ装置は、図１０に示す熱線センサ付自動スイッチ（特願２００３−１９５１３号）のように、レンズ１５１ＰＡ、回転枠１５２ＰＡ、検出系プリント基板１５３ＰＡおよび保持枠１５４ＰＡにより構成され、回転体と呼ばれるセンサブロック１５ＰＡが、押え金具１６１ＰＡ、ばね１６２ＰＡ、支持棒１６３ＰＡおよび２個のねじ１６４ＰＡにより構成される支持部材１６ＰＡにより、ボディ１０ＰＡにねじ止めされる構成になっているため、ボディ１０ＰＡおよびカバー１１により構成されるハウジングに対し、センサブロックを固定するための部品点数が多いという課題がある。
【０００７】
本発明は、上記事情に鑑みてなされたものであり、少ない部品点数で、ハウジングにセンサブロックを回転自在に固定することができるセンサ装置を提供することを目的とする。
【０００８】
【課題を解決するための手段】
上記課題を解決するための請求項１記載の発明のセンサ装置は、窓孔を有するハウジングと、前記窓孔から一部が露出するように前記ハウジング内に収納されるセンサブロックと、前記ハウジングに取り付けられ、前記センサブロックを回転自在に固定する回転固定部材とを備え、前記センサブロックは、前記窓孔よりも大径の椀状に形成され、その窓孔から極側が突出し、少なくともその極の部分が透光性となっている外回転部材と、この外回転部材の開口を閉塞する椀状に形成された内回転部材と、これら外回転部材および内回転部材により構成される中空の球状体内に収納されるセンサとにより構成され、前記回転固定部材は、前記内回転部材よりも小径でその極側が填る輪状部を有する形状に形成され、前記輪状部にて前記センサブロックを回転自在に固定することを特徴とする。
【０００９】
請求項２記載の発明は、請求項１記載のセンサ装置において、前記ハウジングは、有底筒状で底に前記窓孔の有る筒部を有する形状に形成されたボディと、前記筒部の開口を閉塞する形状に形成されたカバーとにより構成され、前記回転固定部材は、前記筒部の底にねじ止めにて、または前記カバーに係合にて取り付けられることを特徴とする。
【００１０】
請求項３記載の発明は、請求項１または２記載のセンサ装置において、椀状に形成されて前記外回転部材の外面を覆い、極の部分が透光性となっている遮光フードを備え、前記センサは明るさセンサであることを特徴とする。
【００１１】
【発明の実施の形態】
（第１実施形態）
図１は本発明による第１実施形態のセンサ装置の分解斜視図、図２は同センサ装置の一部断面図、図３は同センサ装置を各方向から見た図、図４はプレートを外して同センサ装置を下から見た図、図５は同センサ装置の回転固定部材の斜視図、図６は同回転固定部材を各方向から見た図である。
【００１２】
第１実施形態のセンサ装置は、図１〜図３に示すように、ボディ１０およびカバー１１によりなるハウジングと、ワッシャ・ねじ付きの端子Ｔ１１，Ｔ１２であってカバー１１に設けられる端子部Ｔ１と、ボディ１０およびカバー１１にそれぞれ取り付けられるプレート１２および端子カバー１３と、天井へのハウジング取付用の一対のはさみ金具１４と、ハウジング内に収納されるセンサブロック１５、回転固定部材１６および実装基板１７とを備えている。
【００１３】
ボディ１０は、例えば絶縁樹脂製であり、有底で底に窓孔１０１ａを持つ筒状に形成され、係合孔のあいた係合突片１０１ｂが開口縁から４個延設された筒部１０１と、この筒部１０１の底側に形成され、一対の保持溝１０２ａを両側にそれぞれ持つ円状のフランジ部１０２とを、一体に有する形状に形成されている。
【００１４】
カバー１１は、例えば絶縁樹脂製であり、ボディ１０の筒部１０１の開口を閉塞する箱状に形成され、側壁部には、各係合突片１０１ｂの係合孔と係合する係合突部１１ａが形成されている一方、上記開口に対して裏側の一の面には、端面がスライド面となる３つの十字状のリブ１１１〜１１３が一体成形され、中央のリブ１１１の両側に一対の十字状のリブ１１２，１１３が連設された構造となっている。
【００１５】
ここで、上記カバー１１は、図１０の熱線センサ付自動スイッチのそれとほぼ同じものであり、リブ１１１〜１１３うち、中央のリブ１１１の各隅部には、端子Ｔ１１，Ｔ１２，Ｔ２１，Ｔ２２（図１０参照）の先端部をそれそれ挿入するための端子挿入孔ＴＨ１１，ＴＨ１２，ＴＨ２１，ＴＨ２２が穿設されている。また、リブ１１２，１１３の残りの隅にも同様の孔が穿設されている。
【００１６】
また、端子カバー１３の後述するスライド方向と直交する方向に並ぶリブ１１１〜１１３の両側には、スライド方向に伸びる突片１１４，１１５が立設されており、それら突片１１４，１１５の各中央には、リブ１１１〜１１３のスライド面とともに端子カバー１３を狭持する一対のツメ部１１４ａ，１１５ａが形成されている。
【００１７】
さらに、一体に連設された３つのリブ１１１〜１１３のうち、中央のリブ１１１のスライド面中央には、凸部１１１ａが形成されている。一方、両側のリブ１１２，１１３における各スライド面中央には、凸部１１１ａよりも低い凸部１１２ａ，１１３ａがそれぞれ形成され、リブ１１２，１１３における互いに逆方向に伸びるスライド面の端部側にも、凸部１１１ａよりも低い凸部１１２ｂ，１１３ｂがそれぞれ形成されている。
【００１８】
プレート１２は、窓孔１０１ａに対応する丸孔１２ａを中央部に有し、フランジ部１０２に係合して保持され、化粧カバーとして機能するものである。
【００１９】
端子カバー１３は、例えば透明の絶縁樹脂製であり、自己のスライド範囲を規制するためのものであって凸部１１１ａが填り込むスリット１３０と、凸部１１２ａ，１１３ａ，１１２ｂ，１１３ｂにそれぞれ填り込む孔１３１，１３２，１３３，１３４とを有している。
【００２０】
また、端子カバー１３には、ツメ部１１４ａに対応する切欠溝１２５が形成され、この切欠溝１２５の切欠寸法は、切欠溝１２５の奥（底）側の端子カバー１３の部分にツメ部１１４ａの先端が引っ掛かる程度に設定されている。
【００２１】
ここで、上記カバー１１および端子カバー１３によれば、端子カバー１３がスライド自在となっているので、結線のために端子カバー１３をスライドさせたとき、端子カバー１３を結線の邪魔にならないように、端子部Ｔ１を開放することができる。
【００２２】
はさみ金具１４は、一対の保持溝１０２ａにそれぞれ係合する一対の係合突片１４１ａが下端に形成され一方に開口する縦長箱状の支柱１４１と、この上壁および底壁に上下端がそれぞれ挿通されて支柱１４１に回動自在に保持される引締めねじ１４２と、これに螺合する挟み片１４３とにより構成されている。この挟み片１４３は、引締めねじ１４２を回すことで、切欠部１４１ｂから移動して支柱１４１の開口面に沿って下降するようになっている。
【００２３】
ここで、各はさみ金具１４の一対の係合突片１４１ａをフランジ部１０２の一対の保持溝１０２ａにそれぞれ係合させて、各はさみ金具１４をボディ１０に着脱自在に取り付け、次いで各さみ金具１４および筒部１０１を天井ボードに形成された取付孔（図示せず）に挿通し、次いで挟み片１４３を下降させれば、上記取付孔の周部近傍のボード上下面にそれぞれ挟み片１４３の先端部下面およびフランジ部１０２の上面が当接（圧接）して、ボディ１０が天井に取り付けられることになる。
【００２４】
センサブロック１５は、窓孔１０１ａよりも大径の椀状に形成され、その窓孔１０１ａから極側が突出する例えば樹脂製の外回転部材１５１と、この外回転部材１５１の開口を閉塞する椀状に形成された例えば遮光樹脂製の内回転部材１５２と、これら外回転部材１５１および内回転部材１５２により構成される中空の球状体内に収納され、明るさセンサが外回転部材１５１側に実装された実装基板１５３とにより構成されている。
【００２５】
図１の例では、外回転部材１５１の開口縁部内に内回転部材１５２の開口縁部が嵌入するようになっている。また、実装基板１５３からのリード線Ｗが内回転部材１５２の側から孔を介して引き出されるようになっている。さらに、図３の例では、外回転部材１５１は、透光性樹脂または孔などによる透光性の極の部分１５１ａと、それ以外の遮光性の部分とからなり、極の部分１５１ａから上記球状体内の明るさセンサに光を採り込むようになっている。
【００２６】
回転固定部材１６は、例えば絶縁樹脂製であり、図１，図２，図５，図６に示すように、一定の厚み（例えば２．５ｍｍ）に設定され、内回転部材１５２よりも小径でその極側が填る孔（最小径φ１８．３ｍｍ）を持つ輪状部１６１と、この輪状部１６１と同じ厚みに設定され、輪状部１６１の両端にそれぞれ延設された一対のＴ字状部１６２と、これらの各Ｔ字状部１６２の頭部中央に立設された角状部１６３とを、一体に有する形状に形成され、輪状部１６１にてセンサブロック１５を回転自在に固定するようになっている。
【００２７】
回転固定部材１６は、図２に示すように、各角状部１６３がカバー１１に形成された溝１１ｂに填り込むようにしてカバー１１に取り付けられ、輪状部１６１とボディ１０における窓孔１０１ａの縁部とで、センサブロック１５を挟み込むようになっている。
【００２８】
また、図２では、内回転部材１５２の極が輪状部１６１の上面よりも若干下方に位置するように、輪状部１６１の孔径が設定されている。これにより、回転固定部材１６における各角状部１６３を除く上面が、後述の実装基板１７の下面側に位置することになる。
【００２９】
実装基板１７は、多重伝送回路および電源回路などを構成する各種実装部品を含み、リード線Ｗを介して実装基板１５３と電気的に接続される一方、例えば給電可能な２線式のケーブルが接続される端子部Ｔ１の各圧入端子（端子Ｔ１１，Ｔ１２の各先端部分）が圧入されることにより、端子部Ｔ１と接続され、２個のねじＢ１によりカバー１１にねじ止めされるようになっている。
【００３０】
ここで、上記各種実装部品としては、図４に示すように、検知させたい照度を設定する場合に使用する２段階の照度設定が可能な照度設定ボリューム１７１，１７２と、これらにより設定された照度の９５％〜１０５％の範囲内に周囲照度が収まった時にそれぞれ動作する検知確認用ＬＥＤ１７３，１７４と、図示しないワイヤレスアドレス設定器からの赤外線信号受信用の受信部１７５と、その受信時に点滅するＬＥＤ１７６と、「通常」、「点検」、「初期」、「機能拡張」のいずれかに切り替えるためのスライドスイッチ１７７と、ボタン１７８とが実装される。
【００３１】
例えば、照度設定ボリューム１７１で５００ルクスの照度に設定され、照度設定ボリューム１７２で１０００ルクスの照度に設定されたとすれば、周囲照度が４７５〜５２５ルクスの範囲内の照度になれば、検知確認用ＬＥＤ１７３が点灯ないし点滅し、周囲照度が９５０〜１０５０ルクスの範囲内の照度になれば、検知確認用ＬＥＤ１７４が点灯ないし点滅する。
【００３２】
この場合、スライドスイッチ１７５が「通常」の位置に合わされているとき、実装基板１７に実装されたマイコンなどの制御部が、通常動作モードとして、周囲照度が５００ルクスの照度よりも低ければ、多重伝送回路を通じて端子部Ｔ１から全アドレスの照明器具に暗信号を出力する。周囲照度が５００〜１０００ルクスの範囲内の照度であれば、予め設定されたアドレスの照明器具に明信号が出力される。周囲照度が１０００ルクスの照度よりも高ければ、予め設定された別のアドレスの照明器具に明信号が出力される。また、この通常動作モードでは、照明器具が、急に変化した周囲照度にクリティカルに追従して動作することがないように、周囲照度を３分程度の時間をかけて見るようになっている。
【００３３】
スライドスイッチ１７７において、「点検」は、動作点検時に使用され、通常動作モード時より明るさセンサの検出後の動作時間が短くなる。例えば、スライドスイッチ１７５が「点検」の位置に合わされているとき、上記３分程度の時間が例えば５秒程度に短縮される。これにより、設定作業などを素早く行うことができるようになる。「初期」は、天井面照度と測定面との相関値を設定する場合に使用される。例えば、スライドスイッチ１７５が「初期」の位置に合わされているとき、上記制御部が、ボタン１７８の押下時点の明るさセンサによる検出照度を、例えば机上面照度として入力する。「機能拡張」は、ワイヤレスアドレス設定器の表示切替を行いたい時に使用される。つまり、アドレスによる入切のためだけに使用される。
【００３４】
以上のように、回転固定部材１６を、内回転部材１５２よりも小径でその極側が填る輪状部１６１を有する形状に形成し、輪状部１６１にてセンサブロック１５を回転自在に固定することにより、少ない部品点数で、ハウジングにセンサブロックを回転自在に固定することができるとともに、組立工数を削減することができ、しかもセンサブロック１５の可動回転角度を拡大することができる。
【００３５】
（第２実施形態）
図７は本発明による第２実施形態のセンサ装置の分解斜視図、図８は同センサ装置の回転固定部材を各方向から見た図である。
【００３６】
第２実施形態のセンサ装置は、図７，図８に示すように、第１実施形態の回転固定部材１６およびボディ１０に代えて、それぞれ回転固定部材１６Ａおよびボディ１０Ａを備えていることを特徴とする。
【００３７】
回転固定部材１６Ａは、例えば絶縁樹脂製であり、第１実施形態の回転固定部材１６と同様の輪状部１６１と、この輪状部１６１と同じ厚みに設定され、輪状部１６１の両端にそれぞれ延設された一対の矩形状部１６２Ａと、これらの各矩形状部１６２Ａの両端にそれぞれ外向きに延設され、先端部にねじＢ１の足部挿通用の孔１６３ｈが穿設されたＬ字状部１６３Ａとを、一体に有する形状に形成され、輪状部１６１にてセンサブロック１５を回転自在に固定するようになっている。
【００３８】
ボディ１０Ａは、第１実施形態の筒部１０１の底部に上記各孔１６３ｈに対応するボス１０１ｃをさらに備えて筒部１０１Ａを形成している以外は、第１実施形態のボディ１０と同様に構成されている。
【００３９】
上記構成のセンサ装置では、ボディ１０Ａの窓孔１０１ａにセンサブロック１５が配置された状態で、回転固定部材１６Ａの各孔１６３ｈに挿通したねじＢ１を、ボディ１０Ａの各ボス１０１ｃの穴に螺着することにより、回転固定部材１６Ａが筒部１０１Ａの底にねじ止めされ、輪状部１６１とボディ１０Ａにおける窓孔１０１ａの縁部とで、センサブロック１５が挟み込まれることになる。
【００４０】
以上のように、回転固定部材１６Ａを、内回転部材１５２よりも小径でその極側が填る輪状部１６１を有する形状に形成し、輪状部１６１にてセンサブロック１５を回転自在に固定することにより、少ない部品点数で、ハウジングにセンサブロックを回転自在に固定することができるとともに、組立工数を削減することができ、しかもセンサブロック１５の可動回転角度を拡大することができる。
【００４１】
なお、第１，第２実施形態において、図９に示すように、例えば樹脂により椀状に形成され、透光性樹脂または孔などによる透光性の極の部分１８ａと、それ以外の遮光性の部分とからなり、極の部分１８ａから後方の外回転部材１５１に光を採り入れる遮光フード１８を、センサブロック１５に着脱自在に取り付けるようにしてもよい。これにより、明るさセンサと直射光との距離を広くすることができる。なお、図９において、Ｃは天井であり、Ｌは多重伝送用の２線式のケーブルであり、端子部Ｔ１に接続される。
【００４２】
【発明の効果】
以上のことから明らかなように、請求項１記載の発明は、窓孔を有するハウジングと、前記窓孔から一部が露出するように前記ハウジング内に収納されるセンサブロックと、前記ハウジングに取り付けられ、前記センサブロックを回転自在に固定する回転固定部材とを備え、前記センサブロックは、前記窓孔よりも大径の椀状に形成され、その窓孔から極側が突出し、少なくともその極の部分が透光性となっている外回転部材と、この外回転部材の開口を閉塞する椀状に形成された内回転部材と、これら外回転部材および内回転部材により構成される中空の球状体内に収納されるセンサとにより構成され、前記回転固定部材は、前記内回転部材よりも小径でその極側が填る輪状部を有する形状に形成され、前記輪状部にて前記センサブロックを回転自在に固定するので、従来よりも部品点数を削減することができるとともに、組立工数を削減することができ、しかもセンサブロックの可動回転角度を拡大することができる。
【００４３】
請求項２記載の発明は、請求項１記載のセンサ装置において、前記ハウジングは、有底筒状で底に前記窓孔の有る筒部を有する形状に形成されたボディと、前記筒部の開口を閉塞する形状に形成されたカバーとにより構成され、前記回転固定部材は、前記筒部の底にねじ止めにて、または前記カバーに係合にて取り付けられるのであり、この構成でも、従来よりも部品点数を削減することができるとともに、組立工数を削減することができ、しかもセンサブロックの可動回転角度を拡大することができる。
【００４４】
請求項３記載の発明は、請求項１または２記載のセンサ装置において、椀状に形成されて前記外回転部材の外面を覆い、極の部分が透光性となっている遮光フードを備え、前記センサは明るさセンサであるので、直射光による明るさセンサの誤検出を防止することができ、検出性能の信頼性が向上する。
【図面の簡単な説明】
【図１】本発明による第１実施形態のセンサ装置の分解斜視図である。
【図２】同センサ装置の一部断面図である。
【図３】同センサ装置を、下から見た図（ａ）、横から見た図（ｂ）、上から見た図（ｃ）、プレートを外して下から見た図（ｄ）である。
【図４】プレートを外して同センサ装置を下から見た図である。
【図５】同センサ装置の回転固定部材の斜視図である。
【図６】同回転固定部材を、上から見た図（ａ）、横から見た図（ｂ）、下から見た図（ｃ）、別の方向の横から見た図（ｄ）である。
【図７】本発明による第２実施形態のセンサ装置の分解斜視図である。
【図８】同センサ装置の回転固定部材を、下から見た図（ａ）、横から見た図（ｂ）、（ａ）におけるＡ−Ａ線断面図（ｃ）、別の方向の横から見た図（ｅ）、（ａ）におけるＢ−Ｂ線断面図（ｃ）である。
【図９】第１，第２実施形態に適用される遮光フードを示す図である。
【図１０】本出願人により別途提案されている熱線センサ付自動スイッチの分解斜視図である。
【符号の説明】
１０  ボディ
１１  カバー
１２  プレート
１３  端子カバー
１４  はさみ金具
１５  センサブロック
１５１  外回転部材
１５２  内回転部材
１５３  実装基板
１６，１６Ａ  回転固定部材
１６１  輪状部
１７  実装基板
１８  遮光フード
【図１】
2004294227.tif 000003
【図２】
2004294227.tif 000004
【図３】
2004294227.tif 000005
【図４】
2004294227.tif 000006
【図５】
2004294227.tif 000007
【図６】
2004294227.tif 000008
【図７】
2004294227.tif 000009
【図８】
2004294227.tif 000010
【図９】
2004294227.tif 000011
【図１０】
2004294227.tif 000012